(57)【特許請求の範囲】
【請求項１】
それぞれ１以上のオブジェクトを含む複数のコンポーネントを記憶するコンポーネント記憶手段と、
前記コンポーネント記憶手段に記憶された複数のコンポーネントを一覧表示するとともに該複数のコンポーネントのうちのいずれかのコンポーネントについて当該コンポーネントに含まれるオブジェクトを表示するコンポーネント表示手段と、
ユーザの操作に応じて前記コンポーネント表示手段に一覧表示された複数のコンポーネントから所望のコンポーネントを選択するコンポーネント選択手段と、
ユーザの操作に応じて前記コンポーネント表示手段に表示されたコンポーネントに含まれるオブジェクトのうちの任意のオブジェクトを選択するオブジェクト選択手段と、
前記オブジェクト選択手段によってオブジェクトが選択されているときに、該選択されているオブジェクトを含むコンポーネント以外のコンポーネントが前記コンポーネント選択手段によって選択されたかどうかを判定する選択判定手段と、
前記選択判定手段が前記選択されているオブジェクトを含むコンポーネント以外のコンポーネントが選択されたと判定したときに、該選択されたコンポーネントに前記オブジェクト選択手段によって選択されているオブジェクトと同内容のオブジェクトを追加し、該追加されたオブジェクトと前記選択されているオブジェクトとの間にリンクを張るリンク付け手段と、
前記オブジェクト選択手段によってオブジェクトが選択されているときに、該選択されているオブジェクトとリンクが張られたオブジェクトを含むコンポーネントに飾りを付して前記コンポーネント表示手段に表示させるリンク表示手段と
を備えることを特徴とする情報処理装置。
【請求項２】
前記コンポーネント選択手段によるコンポーネントの選択に従って、前記コンポーネント表示手段に含まれているオブジェクトが表示されるコンポーネントを切り替えるコンポーネント切り替え手段をさらに備え、
前記コンポーネント切り替え手段は、前記オブジェクト選択手段によってオブジェクトが選択されていないときに、前記コンポーネント表示手段によるコンポーネントの表示を切り替える
ことを特徴とする請求項１に記載の情報処理装置。
【請求項３】
前記コンポーネント切り替え手段は、前記オブジェクト選択手段によって選択されているオブジェクトと前記コンポーネント選択手段によって選択されたコンポーネントに含まれるオブジェクトとの間に既にリンクが張られているときに、前記コンポーネント表示手段によるコンポーネントの表示を切り替える
ことを特徴とする請求項２に記載の情報処理装置。
【請求項４】
前記コンポーネント表示手段は、前記オブジェクト選択手段によって選択されているオブジェクトを、他のオブジェクトとは表示態様を変えて表示する
ことを特徴とする請求項２または３に記載の情報処理装置。
【請求項５】
それぞれ１以上のオブジェクトを含む複数のコンポーネントを記憶するコンポーネント記憶手段、
前記コンポーネント記憶手段に記憶された複数のコンポーネントを一覧表示するとともに該複数のコンポーネントのうちのいずれかのコンポーネントについて当該コンポーネントに含まれるオブジェクトを表示するコンポーネント表示手段と、
ユーザの操作に応じて前記コンポーネント表示手段に一覧表示された複数のコンポーネントから所望のコンポーネントを選択するコンポーネント選択手段と、
ユーザの操作に応じて前記コンポーネント表示手段に表示されたコンポーネントに含まれるオブジェクトのうちの任意のオブジェクトを選択するオブジェクト選択手段と、
前記オブジェクト選択手段によってオブジェクトが選択されているときに、該選択されているオブジェクトを含むコンポーネント以外のコンポーネントが前記コンポーネント選択手段によって選択されたかどうかを判定する選択判定手段、
前記選択判定手段が前記選択されているオブジェクトを含むコンポーネント以外のコンポーネントが選択されたと判定したときに、該選択されたコンポーネントに前記オブジェクト選択手段によって選択されているオブジェクトと同内容のオブジェクトを追加し、該追加されたオブジェクトと前記選択されているオブジェクトとの間にリンクを張るリンク付け手段、及び、
前記オブジェクト選択手段によってオブジェクトが選択されているときに、該選択されているオブジェクトとリンクが張られたオブジェクトを含むコンポーネントに飾りを付して前記コンポーネント表示手段に表示させるリンク表示手段
としてコンピュータ装置を機能させるためのプログラム。
【発明の詳細な説明】
【０００１】
【発明の属する技術分野】
本発明は、情報処理装置等に関し、コンポーネント内にあるオブジェクトから他のコンポーネントへリンクを張るための技術に関する。
【０００２】
【従来の技術】
ＰＤＡ（Personal Digital Assistants）は、近年、個人の情報管理のためのツールとして広く用いられるようになってきている。ＰＤＡで一般に管理される情報としては、各日の日誌（日報）、やるべき仕事など（ＴｏＤｏ）、スケジュール、その他のメモ（フリーメモ）等がある。これらは、情報毎にシートを切り替えて表示できるようになっているのが普通である。
【０００３】
異なるシートであっても、例えばＴｏＤｏやスケジュールには実質的に同一内容の項目が登録される場合が多い。従って、実質的に同一内容の項目には、異なるシートに存在するもの同士でリンクを張れるようにすれば便利である。従来のＰＤＡでも、異なるシートに存在する項目同士にリンクを張る機能を有してはいた。
【０００４】
【発明が解決しようとする課題】
しかしながら、従来のＰＤＡにおいて、異なるシート間の項目にリンクを張りたい場合は、リンク元の項目を予め選択した後で、リンクを張るためのコマンドを実行させる必要があった。そして、このコマンドの実行に基づいて複数ステップの手順を踏まなければ、リンクを張ることができなかった。しかも、このコマンドを実行させる場合にも、リンク先の項目はリンク元の項目とは別途入力する必要があった。このため、操作が煩雑であった。
【０００５】
本発明は、複数のコンポーネントが存する場合において、１のコンポーネント内にあるオブジェクトから他のコンポーネントへのリンクを容易に張ることができる情報処理装置等を提供することを目的とする。
【０００６】
【課題を解決するための手段】
上記目的を達成するため、本発明の第１の観点にかかる情報処理装置は、
それぞれ１以上のオブジェクトを含む複数のコンポーネントを記憶するコンポーネント記憶手段と、
前記コンポーネント記憶手段に記憶された複数のコンポーネントを一覧表示するとともに該複数のコンポーネントのうちのいずれかのコンポーネントについて当該コンポーネントに含まれるオブジェクトを表示するコンポーネント表示手段と、
ユーザの操作に応じて前記コンポーネント表示手段に一覧表示された複数のコンポーネントから所望のコンポーネントを選択するコンポーネント選択手段と、
ユーザの操作に応じて前記コンポーネント表示手段に表示されたコンポーネントに含まれるオブジェクトのうちの任意のオブジェクトを選択するオブジェクト選択手段と、
前記オブジェクト選択手段によってオブジェクトが選択されているときに、該選択されているオブジェクトを含むコンポーネント以外のコンポーネントが前記コンポーネント選択手段によって選択されたかどうかを判定する選択判定手段と、
前記選択判定手段が前記選択されているオブジェクトを含むコンポーネント以外のコンポーネントが選択されたと判定したときに、該選択されたコンポーネントに前記オブジェクト選択手段によって選択されているオブジェクトと同内容のオブジェクトを追加し、該追加されたオブジェクトと前記選択されているオブジェクトとの間にリンクを張るリンク付け手段と、
前記オブジェクト選択手段によってオブジェクトが選択されているときに、該選択されているオブジェクトとリンクが張られたオブジェクトを含むコンポーネントに飾りを付して前記コンポーネント表示手段に表示させるリンク表示手段と
を備えることを特徴とする。
【０００７】
上記情報処理装置では、オブジェクト選択手段によってオブジェクトを選択している状態で、コンポーネント選択手段によってコンポーネントを選択すれば、選択されているオブジェクトから選択されたコンポーネントに追加されたオブジェクトにリンクを張ることができる。また、リンク先のコンポーネントには、リンク元のオブジェクトと同内容のオブジェクトが自動的に追加されるので、同じ内容の項目をコンポーネント毎に重複して入力しなくてよい。異なるコンポーネント間のリンクを張るための操作が、非常に容易なものとなる。
【０００８】
上記情報処理装置は、
前記コンポーネント選択手段によるコンポーネントの選択に従って、前記コンポーネント表示手段に含まれているオブジェクトが表示されるコンポーネントを切り替えるコンポーネント切り替え手段をさらに備えるものとしてもよい。この場合において、
前記コンポーネント切り替え手段は、前記オブジェクト選択手段によってオブジェクトが選択されていないときに、前記コンポーネント表示手段によるコンポーネントの表示を切り替えるものとすることができる。
【０００９】
これに加えて、前記コンポーネント切り替え手段は、前記オブジェクト選択手段によって選択されているオブジェクトと前記コンポーネント選択手段によって選択されたコンポーネントに含まれるオブジェクトとの間に既にリンクが張られているときに、前記コンポーネント表示手段によるコンポーネントの表示を切り替えるものとすることができる。
【００１０】
なお、前記コンポーネント表示手段は、前記オブジェクト選択手段によって選択されているオブジェクトを、他のオブジェクトとは表示態様を変えて表示することが好ましい。
【００１２】
上記目的を達成するため、本発明の第２の観点にかかるプログラムは、
それぞれ１以上のオブジェクトを含む複数のコンポーネントを記憶するコンポーネント記憶手段、
前記コンポーネント記憶手段に記憶された複数のコンポーネントを一覧表示するとともに該複数のコンポーネントのうちのいずれかのコンポーネントについて当該コンポーネントに含まれるオブジェクトを表示するコンポーネント表示手段と、
ユーザの操作に応じて前記コンポーネント表示手段に一覧表示された複数のコンポーネントから所望のコンポーネントを選択するコンポーネント選択手段と、
ユーザの操作に応じて前記コンポーネント表示手段に表示されたコンポーネントに含まれるオブジェクトのうちの任意のオブジェクトを選択するオブジェクト選択手段と、
前記オブジェクト選択手段によってオブジェクトが選択されているときに、該選択されているオブジェクトを含むコンポーネント以外のコンポーネントが前記コンポーネント選択手段によって選択されたかどうかを判定する選択判定手段、
前記選択判定手段が前記選択されているオブジェクトを含むコンポーネント以外のコンポーネントが選択されたと判定したときに、該選択されたコンポーネントに前記オブジェクト選択手段によって選択されているオブジェクトと同内容のオブジェクトを追加し、該追加されたオブジェクトと前記選択されているオブジェクトとの間にリンクを張るリンク付け手段、及び、
前記オブジェクト選択手段によってオブジェクトが選択されているときに、該選択されているオブジェクトとリンクが張られたオブジェクトを含むコンポーネントに飾りを付して前記コンポーネント表示手段に表示させるリンク表示手段
としてコンピュータ装置を機能させることを特徴とする。
【００１３】
【発明の実施の形態】
以下、添付図面を参照して、本発明の実施の形態について説明する。
【００１４】
図１は、この実施の形態に適用されるＰＤＡの構成を示すブロック図である。図示するように、このＰＤＡ２００は、ＣＰＵ２０１と、ＲＯＭ（Read Only Memory）２０２と、ＲＡＭ（Random Access Memory）２０３と、表示装置２０４と、タブレット２０５とを備えている。表示装置２０４と透明のタブレット２０５とが重ねて配置されており、これらによってタッチパネルを形成している。
【００１５】
ＣＰＵ２０１は、ＲＯＭ２０２に記憶されたプログラムを実行し、オブジェクトとコンポーネントとの間のリンク付けを含む各種の処理を行う。ＲＯＭ２０２は、ＣＰＵ２０１の処理プログラムや固定的なデータなどを記憶する。ＲＡＭ２０３は、データの一時的な記憶領域として用いられる。後述する各シート内のデータは、ＲＡＭ２０３に記憶される。表示装置２０４は、ＣＰＵ２０１による処理に従って、次に説明する表示画面に示すタブ、シートなどを表示する。タブレット２０５は、専用のペンでタップされた座標位置を入力する。
【００１６】
図２は、表示装置２０４に表示される初期状態での表示画面例を示す図である。図２（ａ）及び（ｂ）に示すように、画面上には日報タブ２１１ａ、ＴｏＤｏタブ２１１ｂ、スケジューラタブ２１１ｃ、及びフリーメモタブ２１１ｄが設けられており、（ａ）はタブレット２０５においてフリーメモタブ２１１ｄの位置をタップした場合を、（ｂ）はＴｏＤｏタブ２１１ｂの位置をタップした場合を示している。
【００１７】
タブ２１１ａ〜２１１ｄのそれぞれに対応して仮想的なシートが設けられ、各シートにタブ２１１ａ〜２１１ｄに記載された内容のデータが登録される。表示装置２０４には、タップされたタブ２１１ａ〜２１１ｄに応じて、シート２１２ｄ、２１２ｂ（或いは、タブ２１１ａ、２１１ｃに対応するもの：図示しないが、２１２ａ、２１２ｃとして参照する）が表示される。なお、各シート２１２ａ〜２１２ｄは、コンポーネントとして扱われるものである。
【００１８】
シート２１２ａ〜２１２ｄは、それぞれ１以上の項目を登録する（未登録の場合もあり得る）。図２（ａ）に示すフリーメモのシート２１２ｄや、図２（ｂ）に示すＴｏＤｏのシート２１２ｂでは、図の１行ずつで記載されているものが、その項目として登録されたものである。なお、シート２１２ａ〜２１２ｄの各項目は、オブジェクトとして扱われるものである。
【００１９】
また、画面の最下部には、選択項目表示部２１３と、選択解除ボタン２１４が設けられている。選択項目表示部２１３は、シート２１２ａ〜２１２ｄにおいて選択された項目が表示される。選択解除ボタン２１４は、項目の選択を解除するためのボタンであり、選択項目表示部２１３に表示されている項目の選択は、タブレット２０５のこの位置をタップすることによって解除される。
【００２０】
シート２１２ａ〜２１２ｄに登録されている各項目からは、後述する操作によって他のシート２１２ａ〜２１２ｄにリンクを張ることができる。項目からシート２１２ａ〜２１２ｄにリンクを張るということは、実際にはリンク先のシート２１２ａ〜２１２ｄにリンク元の項目と実質的に同内容の項目が追加され、リンク元の項目から追加された項目へとリンクが張られることである。なお、このリンクは、双方向のリンクとすることが好ましく、この実施の形態でもそのようなものとして説明している。
【００２１】
以下、この実施の形態にかかるＰＤＡ２００で実行される処理について説明する。ここでは、本発明に関わるオブジェクトとコンポーネントとの間にリンクを張るために必要な処理を説明するものとし、他の処理については説明を省略する。なお、リンクを張るための処理以外の各項目の内容を入力する処理などは、次に示すフローチャートとは別のルーチンで並行して行われている。これらの処理は、従来のＰＤＡにおいて行われていたものと同じである。
【００２２】
図３は、この実施の形態にかかるＰＤＡ２００において、ＣＰＵ２０１がオブジェクトとコンポーネントとの間にリンクを張るために実行する処理を示すフローチャートである。
【００２３】
ＣＰＵ２０１は、まず、タブレット２０５がタップされた位置及びその態様に従って、現在表示されているシート２１２ａ〜２１２ｄに含まれる項目の選択操作がされたかどうかを判定する（ステップＳ２０１）。項目の選択操作がされた場合には、ＣＰＵ２０１は、その選択された項目をＲＡＭ２０３の所定の領域に一時記憶し、また、その項目のシート内における表示色を変えると共に、その項目を選択項目表示部２１３に表示する（ステップＳ２０２）。そして、ステップＳ２０１の処理に戻る。
【００２４】
項目の選択操作がされていない場合には、ＣＰＵ２０１は、タブレット２０５の解除ボタン２１４の位置がタップされたかどうかにより、項目の選択解除操作がされたかどうかを判定する（ステップＳ２０３）。項目の選択解除操作がされた場合には、ＣＰＵ２０１は、ＲＡＭ２０３に一時記憶した項目を削除し、項目の表示色を元に戻すと共に選択項目表示部２１３から表示消去する（ステップＳ２０４）。そして、ステップＳ２０１の処理に戻る。
【００２５】
項目の選択解除操作もされていない場合には、ＣＰＵ２０１は、タブレット２０５のタブ２１１ａ〜２１１ｄの位置がタップされたかどうかにより、タブ２１１ａ〜２１１ｄの選択操作がされたかどうかを判定する（ステップＳ２０５）。タブ２１１ａ〜２１１ｄの選択操作がされた場合には、ＣＰＵ２０１は、ＲＡＭ２０３に選択された項目が一時記憶されているかどうかを判定する（ステップＳ２０６）。
【００２６】
選択された項目の記憶があった場合には、ＣＰＵ２０１は、ＲＡＭ２０３に記憶されている選択された項目とステップＳ２０５で選択されたタブ２１１ａ〜２１１ｄに対応したシート２１２ａ〜２１２ｄとの間に既にリンクが張られているかどうかを判定する（ステップＳ２０７）。未だリンクが張られていない場合には、ＲＡＭ２０３に記憶されている選択された項目と選択されたタブ２１１ａ〜２１１ｄに対応したシート２１２ａ〜２１２ｄとの間にリンクを張る（ステップＳ２０８）。
【００２７】
リンクを張る場合、ＲＡＭ２０３に記憶されている選択された項目を、選択されたタブ２１１ａ〜２１１ｄに対応したシートに新たな項目として付け加える。ここで、ＲＡＭ２０３に記憶されている選択された項目と同じ項目ができあがるので、これらの同じ項目間に双方向リンクを張ることにより、項目とシート２１２ａ〜２１２ｄとを関連付けることが可能となる。また、項目との間にリンクが張られたシート２１２ａ〜２１２ｄでは、対応するタブ２１１ａ〜２１１ｄに下線が施されて表示され、現在選択されている項目との間でリンクが張られていることが示される。
【００２８】
一方、ステップＳ２０６において選択された項目のＲＡＭ２０３への記憶がなかった場合、或いはステップＳ２０７において既にリンクが張られていた場合には、ＣＰＵ２０１は、そのまま選択されたタブ２１１ａ〜２１１ｄに対応したシート２１２ａ〜２１２ｄを表示装置２０４に表示させる（ステップＳ２０９）。そして、ステップＳ２０１の処理に戻る。
【００２９】
以下、この実施の形態にかかるＰＤＡ２００において、オブジェクトとコンポーネントとの間にリンクを張るための処理について、具体的な操作例に基づいて説明する。図４及び図５は、ＰＤＡ２００における操作の具体例を説明する図である。ここで、表示画面の初期状態は、図２（ａ）に示したフリーメモのシート２１２ｄが表示されている状態であるものとする。
【００３０】
フリーメモのシート２１２ｄが表示された状態でユーザの選択操作によって、このシート２１２ｄに含まれる「学資保険とのセットプランの紹介」の項目が選択されたものとする。すると、図４（ａ）に示すように、この項目「学資保険とのセットプランの紹介」のシート２１２ｄにおける表示色が変わり（図では見易くするため四角で囲んで表示）、この項目が選択項目表示部２１３に表示される。
【００３１】
次に、ＴｏＤｏタブ２１１ｂがタップされて選択されたものとする。すると、図４（ｂ）に示すように、フリーメモのシート２１２ｄにあった「学資保険とのセットプランの紹介」の項目とＴｏＤｏのシート２１２ｂ（実際には、ここに新たに追加された項目）との間にリンクが張られる。このリンクが張られたことが分かるように、ＴｏＤｏタブ２１１ｂの下には、下線が施されて表示される。
【００３２】
ＴｏＤｏタブ２１１ｂがさらにタップされて選択されたものとすると、図４（ｃ）に示すように、表示装置２０４上の表示がＴｏＤｏのシート２１２ｂに切り替えられる。リンクが張られたことによって、ＴｏＤｏのシート２１２ｂには、「学資保険とのセットプランの紹介」という項目が新たに追加されており、これも現在選択されている項目であるので、表示色が変わって（図では見易くするため反転表示）表示されている。
【００３３】
また、フリーメモのシート２１２ｄが表示された状態でユーザの選択操作によって、このシート２１２ｄに含まれる「2002/04/23 顧客○○宅にて」という項目が選択されたものとする。すると、図５（ａ）に示すように、この項目「2002/04/23 顧客○○宅にて」のシート２１２ｄにおける表示色が変わり（図では見易くするため四角で囲んで表示）、この項目が選択項目表示部２１３に表示される。
【００３４】
次に、スケジューラタブ２１２ｃがタップされて選択されたものとする。すると、図５（ｂ）に示すように、現在選択されている項目であるフリーメモのシート２１２ｄにあった「2002/04/23 顧客○○宅にて」の項目とスケジューラのシート２１２ｃ（実際には、ここに新たに追加された項目）との間にリンクが張られる。このリンクが張られたことが分かるように、スケジューラタブ２１１ｃの下には、下線が施されて表示される。ここで、選択された項目において日付は指定されているが、時間は指定されていないため、指定された日付（２００２年４月２３日）に全時間指定状態としてスケジューラに登録される。
【００３５】
スケジューラタブ２１２ｃがさらにタップされて選択されたものとすると、図５（ｃ）に示すように、表示装置２０４上の表示がスケジューラのシート２１２ｃに切り替えられる。リンクが張られたことによって、スケジューラのシート２１２ｃの２００２年４月２３日の欄には、「顧客○○宅にて」という項目が新たに追加されている。これも現在選択されている項目であるので、表示色が変わって（図では見易くするため反転表示）表示されている。
【００３６】
また、この状態からさらにＴｏＤｏタブ２１１ｂがタップされて選択されたものとする。この時点で選択されている項目は、フリーメモのシート２１２ｄの「2002/04/23 顧客○○宅にて」という項目と、スケジューラのシート２１２ｃの２００２年４月２３日の欄の「顧客○○宅にて」という項目の２つである。これら２つの項目から、ＴｏＤｏのシート２１２ｂ（実際には、ここに新たに追加された項目）にリンクが張られる。
【００３７】
この状態で、さらにＴｏＤｏタブ２１１ｂがタップされると、図５（ｄ）に示すように、表示装置２０４上の表示がＴｏＤｏのシート２１２ｂに切り替えられる。リンクが張られたことによって、ＴｏＤｏのシート２１２ｄには、「2002/04/23 顧客○○宅にて」という項目が新たに追加され、表示色が変わって表示される。また、ここには、フリーメモのシート２１２ｄの項目とスケジューラのシート２１２ｃの項目とからリンクが張られているため、フリーメモタブ２１１ｄとスケジューラタブ２１１ｃとに下線が施されて表示される。
【００３８】
なお、他のシート２１２ａ〜２１２ｄとの間にリンクが張られている項目が選択された場合には、その項目から張られているリンクを辿って、リンク先の項目の表示色を変えたり、リンクが張られているシート２１２ａ〜２１２ｄに対応するタブ２１１ａ〜２１１ｄに下線を施すものとすることができる。
【００３９】
以上説明したように、この実施の形態にかかるＰＤＡ２００では、あるシート２１２ａ〜２１２ｄに含まれる項目から他のシート２１２ａ〜２１２ｄ（実際には、ここに追加される項目）にリンクを張る場合には、表示装置２０４に表示されているシート２１２ａ〜２１２ｄに含まれている項目を選択し、その状態でタブ２１１ａ〜２１１ｄのいずれかをタップするだけの操作を行えばよい。このため、非常に簡単な操作でリンクを張ることが可能となる。また、リンク先のシート２１２ａ〜２１２ｄには、選択されたリンク元の項目と実質的に同内容の項目が自動的に追加されるため、コンポーネント毎に同じ内容を重複して入力する必要もない。
【００４０】
タブ２１１ａ〜２１１ｄは、項目が選択されていないか、選択されている項目とタップされたタブに対応したシートとの間に既にリンクが張られていれば、シート２１２ａ〜２１２ｄの表示を切り替えるために用いることができる。選択解除ボタン２１４をタップすることで、項目の選択を解除してリンクが張られないようにすることもできる。従って、タブ２１１ａ〜２１１ｄをリンクを張るために用いるとしても、これによって大きく操作性を低下させるようなことはない。
【００４１】
さらに、ユーザによって選択された項目は、表示装置２０４上で表示色を変えて表示される。互いにリンクが張られている実質的に同内容の項目は、表示装置２０４上でさらに表示色を変えて表示される。このため、現在どのような項目が選択されているか、さらには選択されている項目から他のシート２１２ａ〜２１２ｄにリンクが張られているかといったことをユーザが容易に判断することができるようになる。
【００４２】
本発明は、上記の実施の形態に限られず、種々の変形、応用が可能である。以下、本発明に適用可能な上記の実施の形態の変形態様について説明する。
【００４３】
上記の実施の形態では、表示されているシート２１２ａ〜２１２ｄにおいて選択された項目をＲＡＭ２０３に保存しておき、選択した項目がＲＡＭ２０３に保存されているときにタブ２１１ａ〜２１１ｄがタップされたならば、選択された項目からタップされたタブ２１１ａ〜２１１ｄに対応したシート２１２ａ〜２１２ｄにリンクを張るものとしていた。これに対して、例えば、一定期間の間に項目とタブ２１１ａ〜２１１ｄが続けてタップされた場合に、タップされた項目からタブ２１１ａ〜２１１ｄに対応するシート２１２ａ〜２１２ｄにリンクを張るものとしてもよい。この場合の項目のタップは、それから一定時間内にタブ２１１ａ〜２１１ｄが続けてタップされるかどうかによって、項目の選択であるかどうかを意味することとなる。
【００４４】
上記の実施の形態では、シート２１２ａ〜２１２ｄは、それぞれに登録した内容を一度に表示装置２０４に表示できることを前提として説明した。しかしながら、各シート２１２ａ〜２１２ｄに登録されているデータが多いと、複数のページに分かれて表示装置２０４に表示される場合もある。項目が選択された状態で、該項目からリンクの張られたシート２１２ａ〜２１２ｄに対応したタブ２１１ａ〜２１１ｄがタップされた場合には、シートの切り替え表示を行うときに選択されている項目からリンクの張られた項目（実質的に同内容の項目）を含むページを表示装置２０４に表示させるものとしてもよい。
【００４５】
上記の実施の形態では、本発明を実装するための情報処理装置として、ＰＤＡ２００を適用して説明した。しかしながら、ＰＤＡ２００の代わりにパーソナルコンピュータを適用してもよい。この場合、タブレット２０５の代わりにマウスなどを用いることができる。また、ＰＤＡ２００の代わりに多機能携帯電話機を適用してもよい。この場合、タブレット２０５で座標入力する代わりに、キー操作によるカーソルの移動によって項目やシートの選択を行えばよい。
【００４６】
上記の実施の形態では、異なるコンポーネント（シート）内のオブジェクト（項目）の間にリンクを張るためのプログラムは、ＲＯＭ２０２に予め記憶されているものとして説明した。しかしながら、このプログラムをＣＤ−ＲＯＭやＤＶＤ−ＲＯＭなどのコンピュータ読み取り可能な記録媒体に格納して、ハードウェアとは独立して配布するものとしてもよい。ＰＤＡ２００に着脱可能なＲＯＭカードに格納して提供してもよい。また、これらの処理プログラムをインターネット上のＷｅｂサーバ装置が有する固定ディスク装置に格納しておき、インターネットを通じて配信するものとしてもよい。
【００４７】
【発明の効果】
以上説明したように、本発明によれば、それぞれ１以上のオブジェクトを含む複数のコンポーネントが存する場合において、１のコンポーネント内にあるオブジェクトから他のコンポーネントへのリンクを容易に張ることができる。
【図面の簡単な説明】
【図１】本発明の実施の形態にかかるＰＤＡの構成を示すブロック図である。
【図２】図１のＰＤＡの初期状態での表示画面例を示す図である。
【図３】本発明の形態にかかるＰＤＡにおいて、オブジェクト間でリンクを張るための処理を示すフローチャートである。
【図４】オブジェクト間でリンクを張るための操作の具体例を説明する図である。
【図５】オブジェクト間でリンクを張るための操作の具体例を説明する図である。
【符号の説明】
２００  ＰＤＡ
２０１  ＣＰＵ
２０２  ＲＯＭ
２０３  ＲＡＭ
２０４  表示装置
２０５  タブレット
【図１】
0003786895.tif 000002
【図２】
0003786895.tif 000003
【図３】
0003786895.tif 000004
【図４】
0003786895.tif 000005
【図５】
0003786895.tif 000006